(57)【要約】【課題】揚穀筒体の機台に対する前後水平半回転作業、閉塞板による前後一対の受入口部の選択的な開閉作業により給送口部、貯留タンク、詰入管部の相対的な位置関係を右勝手状態及び左勝手状態の如く、左右に位置変更することができ、これにより設置場所の状況に対応することができ、それだけ、設置の融通性を高めることができる。【解決手段】揚穀筒体２を機台１に対して前後水平半回転自在に設け、揚穀筒体の前壁板２ａの下部に揚穀筒部４を機台に対して前後水平半回転させたとき貯留タンク５の返還口部１２からの穀粒Ｇを揚穀筒体の下部内に受入可能な受入口部１５を配設し、前後一対の受入口部１４・１５を選択的に閉塞可能な閉塞板１６を着脱自在に配設してなる。【選択図】図１
2016202019.tif 000002
【特許請求の範囲】
【請求項１】
機台に揚穀筒体内に揚穀機構が配備された揚穀筒部、揚穀された穀粒を一時貯留可能な貯留タンク及び穀粒が詰入された穀粒袋の重量を計量可能な計量部を配設してなり、上記揚穀筒体の下部に外部から給送されてくる穀粒を該揚穀筒体の下部内に給送可能な給送口部を配設し、該揚穀筒体の上部に揚穀された穀粒を導出可能な導出口部を配設し、該導出口部に穀粒を穀粒袋内に詰入可能な詰入管部及び該穀粒を上記貯留タンク内に戻送可能な戻送管部からなる二股状の分岐管部を配設し、該導出口部からの穀粒を詰入管部又は戻送管部に移送切換可能な変向部材を配設してなり、上記貯留タンクは上記揚穀筒部の後部に配設され、該揚穀筒体は前壁板、後壁板及び左右の側壁板により形成され、該揚穀筒体の一方の側壁板の下部に上記給送口部を配設し、該貯留タンクの前壁板の下部に該貯留タンク内の穀粒を該揚穀筒体の下部内に返還可能な返還口部を形成し、該返還口部を開閉可能な開閉部材を配設し、該揚穀筒体の後壁板の下部に該貯留タンクの返還口部からの穀粒を該揚穀筒体の下部内に受入可能な受入口部を配設し、該揚穀筒体を該機台に対して前後水平半回転自在に設け、該揚穀筒体の前壁板の下部に該揚穀筒部を機台に対して前後水平半回転させたとき該貯留タンクの返還口部からの穀粒を該揚穀筒体の下部内に受入可能な受入口部を配設し、該前後一対の受入口部を選択的に閉塞可能な閉塞板を着脱自在に配設してなることを特徴とする穀粒計量袋詰機。
【請求項２】
上記計量部からの穀粒袋の重量信号により上記変向部材の移送切換動作及び上記開閉部材の開閉動作を制御可能な制御部を配設してなることを特徴とする請求項１記載の穀粒計量袋詰機。
【請求項３】
上記詰入管部内の穀粒排出路を開閉可能な開閉弁機構を配設してなることを特徴とする請求項１又は２記載の穀粒計量袋詰機。
【発明の詳細な説明】
【技術分野】
【０００１】
本発明は例えば米選別機、籾摺機などから送られてくる玄米などの穀粒を計量袋詰する際に用いられる穀粒計量袋詰機に関するものである。
【背景技術】
【０００２】
従来、この種の穀粒計量袋詰機として、機台に揚穀筒体内に揚穀機構が配備された揚穀筒部、揚穀された穀粒を一時貯留可能な貯留タンク及び穀粒が詰入された穀粒袋の重量を計量可能な計量部を配設してなり、外部から給送されてくる穀粒を上記揚穀筒部の下部内に給送可能な給送口部を配設し、該揚穀筒部の上部に揚穀された穀粒を導出可能な導出口部を配設し、該導出口部に穀粒を穀粒袋内に詰入可能な詰入管部及び該穀粒を上記貯留タンク内に戻送可能な戻送管部からなる二股状の分岐管部を配設し、該導出口部からの穀粒を詰入管部又は戻送管部に移送切換可能な変向部材を配設してなる構造のものが知られている。
【０００３】
しかして、米選別機や籾摺機などの外部から給送されてくる穀粒は揚穀筒部の下部の給送口部に給送され、揚穀筒体内の揚穀機構により穀粒は揚穀筒部の上部の導出口部に導出され、導出口部からの穀粒を詰入管部を介して穀粒袋に詰め、穀粒袋の交換作業時等において、穀粒は導出口部より戻送管部を介して貯留タンク内に戻送されることになる。
【先行技術文献】
【特許文献】
【０００４】
【特許文献１】実公昭４７−１３１５４号公報
【発明の概要】
【発明が解決しようとする課題】
【０００５】
しかしながら上記従来構造の場合、給送口部、貯留タンク、詰入管部の相対的な位置関係は固定されており、このため、穀粒袋の設置位置も限られ、これらの制約により設置場所の融通性が低下することがあるという不都合を有している。
【課題を解決するための手段】
【０００６】
本発明はこのような不都合を解決することを目的とするもので、本発明のうちで、請求項１記載の発明は、機台に揚穀筒体内に揚穀機構が配備された揚穀筒部、揚穀された穀粒を一時貯留可能な貯留タンク及び穀粒が詰入された穀粒袋の重量を計量可能な計量部を配設してなり、上記揚穀筒体の下部に外部から給送されてくる穀粒を該揚穀筒体の下部内に給送可能な給送口部を配設し、該揚穀筒体の上部に揚穀された穀粒を導出可能な導出口部を配設し、該導出口部に穀粒を穀粒袋内に詰入可能な詰入管部及び該穀粒を上記貯留タンク内に戻送可能な戻送管部からなる二股状の分岐管部を配設し、該導出口部からの穀粒を詰入管部又は戻送管部に移送切換可能な変向部材を配設してなり、上記貯留タンクは上記揚穀筒部の後部に配設され、該揚穀筒体は前壁板、後壁板及び左右の側壁板により形成され、該揚穀筒体の一方の側壁板の下部に上記給送口部を配設し、該貯留タンクの前壁板の下部に該貯留タンク内の穀粒を該揚穀筒体の下部内に返還可能な返還口部を形成し、該返還口部を開閉可能な開閉部材を配設し、該揚穀筒体の後壁板の下部に該貯留タンクの返還口部からの穀粒を該揚穀筒体の下部内に受入可能な受入口部を配設し、該揚穀筒体を該機台に対して前後水平半回転自在に設け、該揚穀筒体の前壁板の下部に該揚穀筒部を機台に対して前後水平半回転させたとき該貯留タンクの返還口部からの穀粒を該揚穀筒体の下部内に受入可能な受入口部を配設し、該前後一対の受入口部を選択的に閉塞可能な閉塞板を着脱自在に配設してなることを特徴とする穀粒計量袋詰機にある。
【０００７】
又、請求項２記載の発明は、上記計量部からの穀粒袋の重量信号により上記変向部材の移送切換動作及び上記開閉部材の開閉動作を制御可能な制御部を配設してなることを特徴とするものであり、又、請求項３記載の発明は、上記詰入管部内の穀粒排出路を開閉可能な開閉弁機構を配設してなることを特徴とするものである。
【発明の効果】
【０００８】
本発明は上述の如く、請求項１記載の発明にあっては、貯留タンクは上記揚穀筒部の後部に配設され、揚穀筒体の一方の側壁板の下部に上記給送口部を配設し、貯留タンクの前壁板の下部に貯留タンク内の穀粒を揚穀筒体の下部内に返還可能な返還口部を形成し、返還口部を開閉可能な開閉部材を配設し、揚穀筒体の後壁板の下部に貯留タンクの返還口部からの穀粒を揚穀筒体の下部内に受入可能な受入口部を配設し、揚穀筒体を機台に対して前後水平半回転自在に設け、揚穀筒体の前壁板の下部に揚穀筒部を機台に対して前後水平半回転させたとき貯留タンクの返還口部からの穀粒を揚穀筒体の下部内に受入可能な受入口部を配設し、前後一対の受入口部を選択的に閉塞可能な閉塞板を着脱自在に配設してなるから、揚穀筒体の機台に対する前後水平半回転作業、閉塞板による前後一対の受入口部の選択的な開閉作業により給送口部、貯留タンク、詰入管部の相対的な位置関係を右勝手状態及び左勝手状態の如く、左右に位置変更することができ、これにより設置場所の状況に対応することができ、それだけ、設置の融通性を高めることができ、使用の利便性を向上することができる。
【０００９】
又、請求項２記載の発明にあっては、上記計量部からの穀粒袋の重量信号により上記変向部材の移送切換動作及び上記開閉部材の開閉動作を制御可能な制御部を配設してなるから、穀粒の計量袋詰作業を効率的に行うことができ、又、請求項３記載の発明にあっては、上記詰入管部内の穀粒排出路を開閉可能な開閉弁機構を配設してなるから、詰入管部からの穀粒の排出を確実に停止することができ、穀粒袋内への穀粒の詰入量精度を高めることができる。
【図面の簡単な説明】
【００１０】
【図１】本発明の実施の形態例の斜視図である。
【図２】本発明の実施の形態例の全体正面図である。
【図３】本発明の実施の形態例の部分断面図である。
【図４】本発明の実施の形態例の部分側断面図である。
【図５】本発明の実施の形態例の部分断面図である。
【図６】本発明の実施の形態例の部分平断面図である。
【図７】本発明の実施の形態例の分解斜視図である。
【図８】本発明の実施の形態例の使用状態の斜視図である。
【図９】本発明の実施の形態例の使用状態の正面図である。
【図１０】本発明の実施の形態例の他の使用状態の斜視図である。
【図１１】本発明の実施の形態例の他の使用状態の正面図である。
【図１２】本発明の実施の形態例の他の使用状態の部分平断面図である。
【発明を実施するための形態】
【００１１】
図１乃至図１２は本発明の実施の形態例を示し、１は機台であって、機台１に揚穀筒体２内に揚穀機構３が配備された揚穀筒部４、及び、揚穀された穀粒Ｇ、この場合、玄米を一時貯留可能な貯留タンク５が立設され、この機台１には穀粒Ｇが詰入された穀粒袋Ｆの重量を計量可能な計量部Ｋが並列配設され、この場合、計量部Ｋとして、歪みゲージからなる計量器Ｋ１及び搬送用のパレットＰからなり、計量器Ｋ１上に穀粒袋Ｆを弾性吊下支持可能な吊下機構Ｔを設け、吊下機構Ｔとして、ホルダ枠体Ｋ２にバネ等の弾性を有する複数個の吊下紐体Ｋ３を配設し、複数個の吊下紐体Ｋ３・・により穀粒袋Ｆを弾性吊下支持して構成している。
【００１２】
この場合、図１、図２の如く、上記機台１の隅部には脚１ａ及びキャスタ１ｂが配設され、又、上記揚穀機構３はバケットコンベヤ構造とされ、揚穀筒体２の下部及び上部に配置したプーリー３ａ・３ａ間に複数個のバケットＢ・・を並設した無端ベルトＥが掛架され、無端ベルトＥを駆動モータＭにより循環走行し、複数個のバケットＢ・・により穀粒Ｇを揚穀筒体２の下部から上部へと揚穀可能に構成している。
【００１３】
そして、上記揚穀筒体２の下部に例えば米選別機や籾摺機などの外部から給送されてくる穀粒Ｇを揚穀筒体２の下部内に給送可能な給送口部６を配設し、上記揚穀筒部４の上部に下部から上部へと揚穀された穀粒Ｇを導出可能な導出口部７を配設し、導出口部７に穀粒Ｇを穀粒袋Ｆ内に詰入可能な詰入管部８及び穀粒Ｇを上記貯留タンク５内に戻送可能な戻送管部９からなる二股状の分岐管部１０を配設し、図５の如く、導出口部７からの穀粒Ｇを詰入管部８又は戻送管部９に移送切換可能な変向部材１１を配設し、この場合、変向部材１１は電磁ソレノイド１１ａにより移送切換動作可能に構成している。
【００１４】
この場合、図５の如く、上記戻送管部９には可撓性を有する接続管９ａが取り付けられ、接続管９ａを貯留タンク５の上部開口部Ｄ内に接続するように構成している。
【００１５】
さらに、上記貯留タンク５は上記揚穀筒部４の後部に配設され、上記揚穀筒体２は前壁板２ａ、後壁板２ｂ及び左右の側壁板２ｃ・２ｃにより形成され、揚穀筒体２の一方の側壁板２ｃの下部に上記給送口部６を配設し、この場合、図３の如く、給送口部６として揚穀筒体２の一方の側壁板２ｃに給送口６ａが形成され、側壁板２ｃに給送ホッパー６ｂが取り付けられ、この場合、図６の如く、貯留タンク５は前壁板５ａ、後壁板５ｂ及び左右の側壁板５ｃ・５ｃにより上面が開口した四角容器状に形成され、貯留タンク５の底部に落送板５ｄが形成され、上記機台１の後部に立設された架台枠１ｃに取り付けられ、この貯留タンク５の前壁板５ａの下部に貯留タンク５内の穀粒Ｇを揚穀筒体２の下部内に返還可能な返還口部１２を形成し、この場合、図４の如く、返還口部１２として貯留タンク５の前壁板５ａに返還口１２ａが形成され、返還口部１２を開閉可能な開閉部材１３を配設し、この場合、開閉部材１３は電磁ソレノイド１３ａにより返還口１２ａを開閉動作可能に構成され、揚穀筒体２の後壁板２ｂの下部に貯留タンク５の返還口部１２からの穀粒Ｇを揚穀筒体２の下部内に受入可能な受入口部１４を配設し、この場合、図４の如く、受入口部１４として揚穀筒体２の後壁板２ｂに受入口１４ａが形成され、揚穀筒体２の後壁板２ｂにそれぞれ４個の後取付ボルト２ｄ・２ｄ・・を植設し、受入ホッパー１４ｂに後取付ボルト２ｄ・２ｄ・・に挿通可能な４個の貫通穴１４ｃ・１４ｃ・・を形成し、後取付ボルト２ｄ・２ｄ・・に後取付ナット２ｅ・２ｅ・・を螺着し、受入ホッパー１４ｂを揚穀筒体２の後壁板２ｂに着脱自在に設けている。
【００１６】
さらに、上記揚穀筒体２を機台１に対して前後水平半回転自在に設け、即ち、θ＝１８０度前後水平半回転自在に設け、揚穀筒体２の前壁板２ａの下部に揚穀筒部４を機台１に対して前後水平半回転させたとき貯留タンク５の返還口部１２からの穀粒Ｇを揚穀筒体２の下部内に受入可能な受入口部１５を配設し、この場合、受入口部１５として揚穀筒体２の前壁板２ａに受入口１５ａが形成され、前後一対の受入口部１４・１５を選択的に閉塞可能な閉塞板１６を着脱自在に配設して構成している。
【００１７】
この場合、図４、図７の如く、上記揚穀筒体２の周縁板Ｑに４個の貫通穴２ｆ・２ｆ・・を形成し、機台１に４個の貫通穴２ｆ・２ｆ・・が挿通可能な４個の締付ボルト２ｇ・２ｇ・・を植設し、締付ボルト２ｇ・２ｇ・・に締付ナット２ｈ・・を螺着し、上記４個の貫通穴２ｆ・２ｆ・・は揚穀筒体２の左右の側壁板２ｃ・２ｃ間の中心Ｏから同幅寸法Ｈ・Ｈ、同奥行寸法Ｓ・Ｓに形成され、これにより揚穀筒部４を機台１に対して前後水平半回転させたとき貯留タンク５の返還口部１２からの穀粒Ｇが揚穀筒体２の前後一対の受入口部１４・１５にそれぞれ対向するように構成されている。
【００１８】
又、この場合、図４、図７の如く、上記閉塞板１６は、上記揚穀筒体２の前壁板２ａに上記揚穀筒体２の後壁板２ｂに形成された上記４個の後取付ボルト２ｄ・２ｄ・・に対応して４個の前取付ボルト２ｉ・２ｉ・・を植設し、閉塞板１６に前取付ボルト２ｉ・２ｉ・・及び上記後取付ボルト２ｄ・２ｄ・・に挿通可能な４個の貫通穴１６ａ・・を形成し、前取付ボルト２ｉ・２ｉ・・に前取付ナット２ｊ・２ｊ・・を螺着し、前後一対の受入口部１４・１５に閉塞板１６を着脱自在に設けて受入口部１４・１５を選択的に閉塞可能に構成している。
【００１９】
しかして、図２、図６、図８、図９に示す詰入管部８が右向きの右勝手状態及び図１０、図１１、図１２に示す詰入管部８が左向きの左勝手状態の如く、揚穀筒体２の機台１に対する前後水平半回転作業及び閉塞板１６による前後一対の受入口部１４・１５の選択的な開閉作業、この場合、上記閉塞板１６と受入ホッパー１４ｂとの取替交換作業により給送口部６、貯留タンク５、詰入管部８の相対的な位置関係を右勝手状態及び左勝手状態の如く、左右に位置変更することができ、これにより設置場所の状況に対応することができる。
【００２０】
この場合、上記計量部Ｋからの穀粒袋Ｆの重量信号により上記変向部材１１の移送切換動作及び上記開閉部材１３の開閉動作を制御可能な制御部１７が配設され、しかして、上記揚穀筒部４により揚穀された穀粒Ｇが詰入管部８を介して穀粒袋Ｆ内に詰入され、例えば、穀粒袋Ｆの重量が１トン（ｔｏｎ）に達したとき、揚穀される穀粒Ｇは戻送管部９へと移送変向され、穀粒Ｇは貯留タンク５内に戻送され、開閉部材１３は閉動作して貯留タンク５から揚穀筒体２の下部への穀粒Ｇの返還が停止され、貯留タンク５内に穀粒Ｇは一時貯溜されることになり、新たな穀粒袋Ｆに交換後、上記変向部材１１の移送切換動作により穀粒Ｇは詰入管部８から詰入袋Ｆ内に詰入され、開閉部材１３の開動作により貯留タンク５内に一時貯溜された穀粒Ｇは揚穀筒体２の下部に返還口部１２を介して返還されることになる。
【００２１】
又、この場合、図５の如く、上記詰入管部８内の穀粒排出路８ａを開閉可能な開閉弁機構１８が配設され、この場合、開閉弁機構１８として、上記詰入管部８に開閉弁１８ａが揺動自在に設けられ、開閉弁１８ａを電磁ソレノイド１８ｂにより開閉動作可能に構成している。
【００２２】
この実施の形態例は上記構成であるから、米選別機や籾摺機などの外部から給送されてくる穀粒Ｇは揚穀筒部４の下部の給送口部６に給送され、揚穀筒体２内の揚穀機構３により穀粒Ｇは揚穀筒部４の上部の導出口部７に導出され、導出口部７から穀粒Ｇを詰入管部８を介して穀粒袋Ｆに詰め、穀粒袋Ｆの重量が計量部Ｋにより計量され、穀粒袋Ｆの重量が一定重量に達したとき、導出口部７からの穀粒Ｇは変向部材１１の移送切換動作により詰入管部８から戻送管部９に移送切換され、穀粒袋Ｆ内への穀粒Ｇの袋詰が停止し、導出口部７からの穀粒Ｇは戻送管部９を介して貯留タンク５内に戻送され、この間に穀粒袋Ｆの交換作業が行われ、穀粒袋Ｆの交換作業が終了したら、変向部材１１は移送切換動作して穀粒Ｇは戻送管部９から詰入管部８に移送切換され、導出口部７からの穀粒Ｇは詰入管部８を介して新たな穀粒袋Ｆに対して袋詰作業が行われることになる。
【００２３】
この際、上記貯留タンク５は上記揚穀筒部４の後部に配設され、揚穀筒体２の一方の側壁板２ｃの下部に上記給送口部６を配設し、貯留タンク５の前壁板５ａの下部に貯留タンク５内の穀粒Ｇを揚穀筒体２の下部内に返還可能な返還口部１２を形成し、返還口部１２を開閉可能な開閉部材１３を配設し、揚穀筒体２の後壁板２ｂの下部に貯留タンク５の返還口部１２からの穀粒Ｇを揚穀筒体２の下部内に受入可能な受入口部１４を配設し、揚穀筒体２を機台１に対して前後水平半回転自在に設け、揚穀筒体２の前壁板２ａの下部に揚穀筒部４を機台１に対して前後水平半回転させたとき貯留タンク５の返還口部１２からの穀粒Ｇを揚穀筒体２の下部内に受入可能な受入口部１５を配設し、前後一対の受入口部１４・１５を選択的に閉塞可能な閉塞板１６を着脱自在に配設してなるから、図２、図６、図８、図９に示す詰入管部８が右向きの右勝手状態及び図１０、図１１、図１２の詰入管部８が左向きの左勝手状態の如く、揚穀筒体２の機台１に対する前後水平半回転作業及び閉塞板１６による前後一対の受入口部１４・１５の選択的な開閉作業、この場合、上記閉塞板１６と受入ホッパー１４ｂとの取替交換作業により給送口部６、貯留タンク５、詰入管部８の相対的な位置関係を左右に変更することができ、設置場所の状況に対応することができ、それだけ、設置の融通性を高めることができ、使用の利便性を向上することができる。
【００２４】
この場合、上記計量部Ｋからの穀粒袋Ｆの重量信号により上記変向部材１１の移送切換動作及び上記開閉部材１３の開閉動作、並びに、この場合、開閉弁機構１８の開閉動作を制御可能な制御部１７を配設してなるから、穀粒Ｇの計量袋詰作業を効率的に行うことができ、又、この場合、上記詰入管部８内の穀粒排出路８ａを開閉可能な開閉弁機構１８を配設してなるから、詰入管部８からの穀粒Ｇの排出を確実に停止することができ、穀粒袋Ｆ内への穀粒Ｇの詰入量精度を高めることができる。
【００２５】
尚、本発明は上記の形態例に限られるものではなく、機台１は一体形成されているが、揚穀筒体２用及び貯留タンク５用に二分割形成されることもあり、その他、揚穀筒体２、揚穀機構３、貯留タンク５、詰入管部８、戻送管部９、変向部材１１、開閉弁機構１８などは適宜変更して設計されるものである。
【００２６】
以上の如く、所期の目的を充分達成することができる。
【符号の説明】
【００２７】
Ｇ    穀粒
Ｆ    穀粒袋
Ｋ    計量部
１    機台
２    揚穀筒体
２ａ    前壁板
２ｂ    後壁板
２ｃ    側壁板
３    揚穀機構
４    揚穀筒部
５    貯留タンク
５ａ    前壁板
６    給送口部
７    導出口部
８    詰入管部
８ａ    穀粒排出路
９    戻送管部
１０    分岐管部
１１    変向部材
１２    返還口部
１３    開閉部材
１４    受入口部
１５    受入口部
１６    閉塞板
１７    制御部
１８    開閉弁機構
【図１】
2016202019.tif 000003
【図２】
2016202019.tif 000004
【図３】
2016202019.tif 000005
【図４】
2016202019.tif 000006
【図５】
2016202019.tif 000007
【図６】
2016202019.tif 000008
【図７】
2016202019.tif 000009
【図８】
2016202019.tif 000010
【図９】
2016202019.tif 000011
【図１０】
2016202019.tif 000012
【図１１】
2016202019.tif 000013
【図１２】
2016202019.tif 000014